(57)【要約】      （修正有）【課題】背負いベルト又は肩掛けベルトも含めて、リュック又は鞄の全面を覆い、合羽の上からリュック又は鞄を装着することができる、完全防水の雨除け用カバーケースを提供する。【解決手段】ビニール等の合成樹脂を素材とし、リュック又は鞄の本体を覆うメインカバー１１と、背負いベルト又は肩掛けベルトを覆う管状又は柱状のベルトカバー１２と、バンド１３及び留め具と、によって構成される。メインカバー１１は、頂部が挿入口として開放されているか、又は、キャップ式となっている。また、ベルトカバー１２は、カバー内にベルトを通した後にバックルの脱着ができるように、中央部近傍で上下又は左右に分かれている。リュック又は鞄の挿入後、挿入口を閉着するための閉着部材として、バンド１３及びバンド留め具を具備する。【選択図】図１
0003187046.tif 000002
【実用新案登録請求の範囲】
【請求項１】
リュックの雨除け用カバーケースであって、
頂部が開放された略柱体のメインカバーと、
１の端部が前記メインカバーと接合し他の端部が開放されている管状又は棒状の複数のベルトカバーと、
前記メインカバーの前記解放された頂部を閉着するための閉着部材と、
を有し、リュック本体及び背負いベルトの全部を被覆することを特徴とする雨除け用カバーケース。
【請求項２】
鞄の雨除け用カバーケースであって、
頂部が開放された略柱体のメインカバーと、
１の端部が前記メインカバーと接合し他の端部が開放されている管状又は棒状の複数のベルトカバーと、
前記メインカバーの前記解放された頂部を閉着するための閉着部材と、
を有し、鞄本体及び肩掛けベルトの全部を被覆することを特徴とする雨除け用カバーケース。
【考案の詳細な説明】
【技術分野】
【０００１】
本考案は、リュック又は鞄の雨除け用カバーケースに関する。
【背景技術】
【０００２】
雨天時に合羽を着て外出するとき、リュックや鞄が濡れないようにするために、合羽の下にリュックを背負ったり、鞄を肩掛けしたりすることが多い。
【０００３】
また、ビニール袋等にリュック又は鞄を収納したうえで、ビニール袋ごと抱えて運ぶこともある。
【先行技術文献】
【特許文献】
【０００４】
【特許文献１】特開２００３−２６５２３１号
【特許文献２】特開２０１２−４５３７７号
【考案の概要】
【考案が解決しようとする課題】
【０００５】
合羽の下にリュックを背負ったり鞄を肩掛けしたりすると窮屈になり、歩行時の転倒の原因になる。また、自転車等を使用する場合は操作に支障をきたし危険である。
【０００６】
汎用のビニール袋等にリュック又は鞄を収納した場合には、背負いベルト又は肩掛けベルトを使用することができなくなるため、片手又は両手が使えず、自転車等に乗ることができなくなる。また、リュック又は鞄の大きさに合った袋を準備するのが難しい。
【０００７】
これらの問題を解決するために、特許文献１及び特許文献２に、雨水による濡れを防止するためのリュックサック用カバーについての発明が開示されている。しかし、これらのリュックサック用カバーは、いずれも、背負いベルトをカバーの外に出すために、リュックの前面と両側面のみをカバーで覆い、背面（背中側）は開放しているため、背面側上部から背中を伝って雨水が侵入し、リュック内のものが濡れてしまう恐れがあるうえ、背負いベルトについては、何ら防水対策を施していない。
【０００８】
以上の問題点に鑑み、本考案は、背負いベルト又は肩掛けベルトも含めて、リュック又は鞄の全面を覆い、合羽の上からリュック又は鞄を装着することができる、完全防水の雨除け用カバーケースを提供することを課題とする。
【課題を解決するための手段】
【０００９】
上記課題を解決するため本考案に係る雨除け用カバーケースは、リュック又は鞄の本体を覆うメインカバーと、背負いベルト又は肩掛けベルトを覆うベルトカバーと、によって構成される。本カバーケースが使用できるリュック又は鞄は、背負いベルト又は肩掛けベルトの一端又は両端が、バックルにより一時的に本体から分離可能であることが条件となる。
【００１０】
メインカバーは、頂部が挿入口として開放されているか、又は、キャップ式となっている。また、ベルトカバーは、カバー内にベルトを通した後にバックルの脱着ができるように、中央部近傍で上下又は左右に分かれている。
【００１１】
リュック又は鞄の挿入後、挿入口の閉着部材として、または、キャップの冠着部材として、バンド及びバンド留め具を具備する。
【考案の効果】
【００１２】
雨天時にリュック又は鞄を合羽の上から装着することができるため、窮屈な思いをせずに防水効果を得ることができる。
【００１３】
背負いベルト又は肩掛けベルトを含めて、リュック又は鞄の全面をカバーするため、完全な防水効果を得ることができる。
【００１４】
市販のビニールを使って簡単に作ることができるため、費用をかけずに、希望のサイズ及び形状のカバーを作成することができる。
【図面の簡単な説明】
【００１５】
【図１】リュックの雨除け用カバーケースの背面側斜視図である。
【図２】リュックの雨除け用カバーケースの正面側斜視図である。
【図３】リュックの雨除け用カバーケースの使用時の状態を示す概念斜視図である。
【図４】鞄の雨除け用カバーケースの正面側斜視図である。
【図５】鞄の雨除け用カバーケースの使用時の状態を示す概念斜視図である。
【考案を実施するための形態】
【００１６】
（実施形態１）
実施形態１では、リュックの雨除け用カバーケースについての１例を図面を参照して説明する。
【００１７】
本考案に係るリュックの雨除け用カバーケース１は、リュックの本体を覆うメインカバーと、背負いベルトを覆うベルトカバー１２と、によって構成される。ベルトカバー１２はバックル付のベルトを想定しているため、上部分１２１と下部分１２２とに分かれ、それぞれ一端がメインカバー１１と接合している。
【００１８】
メインカバー１１とベルトカバー１２は、使用するリュックの形状及びサイズに合わせて、市販のビニールで作成する。作成に当たっては、はさみ、カッター等で切ったビニールをボンド等を使用して接着するが、熱式のビニール密封器具として市販されているシーラーを使用すると便利である。直線部分は、クリップ型や卓上型のシーラーを、また、ベルトとカバーの丸い部分の接合には、こてタイプのローラ型シーラーを使用するとよい。
【００１９】
図１及び図２に示すように、メインカバー１１はリュックの背丈と比べて縦長になっており、頂部は挿入口１５として開放されている。挿入口１５の縁部にはバンド１３が、また、正面中央部近傍にはバンドの留め具１４が設置されている。
【００２０】
使用の手順は、リュックの背負いベルトのバックルを外したうえで挿入口１５からリュックを挿入し、４本のベルトを、それぞれ対応するベルトカバー１２１及び１２２に通し、ベルト先端のバックル部がベルトカバー１２１及び１２２の先端から外に出るようにする。つぎにバックルを繋ぎ、ベルトカバー下部分１２２の端部を上部分１２１の端部に挿入し、ベルトとバックルをカバー内部に納める。最後に、メインカバー１１の点線（図１，２）に沿って、挿入口１５を本体正面側に折り畳み、バンド１３を留め具１４で固定する。図３はカバーの装着が終了した使用時の状態を示す。
【００２１】
（実施形態２）
実施形態２では、鞄の雨除け用カバーケースについての１例について説明する。
【００２２】
本考案に係る鞄の雨除け用カバーケース２は、鞄本体を覆うメインカバー２１と、肩掛けベルトを覆うベルトカバー２２と、によって構成される。ベルトカバー２２はバックル付のベルトを想定しているため、左部分２２１と右部分２２２とに分かれ、それぞれ一端がメインカバー２１と接合している。
【００２３】
メインカバー２１の形状は、実施形態１で説明したリュックのものと同様、頂部を開放し正面側に折り畳む形でもよいが、本実施形態においては図４に示すように、挿入口２５の上部にキャップ（蓋）２１１を設置して、鞄の出し入れの観点から、より機能的なものとした。
【００２４】
したがって、本実施形態の鞄用カバーケース２は図４に示すようにキャップ２１１の正面側下縁部にバンド２３が設置されており、鞄の挿入後は本体上部を折り畳むのではなく、キャップ２１１を鞄の上部に被せて、バンド２３を留め具２４に固定する。肩掛けベルトをベルトカバー２２１及び２２２に通してカバーの一端を他端に挿入する手順は、実施形態１のリュックの場合と同様である。
【００２５】
本考案の有する特徴、及び優れた点を、考案の構造と機能の詳細をあげて上記実施形態に記載したが、本考案は、本考案の原理の範囲内で、本願の実用新案登録請求の範囲で使用されている言葉を広く一般的な意味にまで広げて、細かな点、特に形状、大きさ、挿入口の位置及びバンド・留め具等の配置・数を変更しての実施が可能である。また、素材についても、デザイン性のあるカラフルなものを使用する等、需要拡大への工夫が可能である。
【符号の説明】
【００２６】
１      リュック用カバーケース
１１    メインカバー
１２    ベルトカバー
１２１  ベルトカバーの上部分
１２２  ベルトカバーの下部分
１３    バンド
１４    バンド止め
１５    挿入口
２      鞄用カバーケース
２１    メインカバー
２１１  キャップ
２２    ベルトカバー
２２１  ベルトカバーの左部分
２２２  ベルトカバーの右部分
２３    バンド
２４    バンド止め
２５    挿入口
【図１】
0003187046.tif 000003
【図２】
0003187046.tif 000004
【図３】
0003187046.tif 000005
【図４】
0003187046.tif 000006
【図５】
0003187046.tif 000007